(57)【特許請求の範囲】
【請求項１】
口金部にアマルガム部が設けられた蛍光灯ランプと、この蛍光灯ランプのランプ部を取り囲んで配設される反射板とを備えてなる照明器具であって、
蛍光灯ランプのアマルガム部近傍を流れる空気の流量を低減させる流量低減手段が設けられており，反射板のランプ挿入孔から突出した蛍光灯ランプの口金部はソケットに連結されており、口金部及びソケットの周囲には流量低減手段となる空気流路の屈曲部が設けられており，屈曲部は，ソケット取付板の周縁部と，ソケットを取り囲んで配設されたソケットカバーの外端部との幅狭の隙間に形成されてなるものであることを特徴とする照明器具。
【請求項２】
口金部及びソケットカバーが空気流路を構成していることを特徴とする請求項１記載の照明器具。
【請求項３】
空気流路には、空気流入口及び空気流出口よりも断面積が大きくて大容量である減流速空間が設けられていることを特徴とする請求項１記載の照明器具。
【発明の詳細な説明】
【０００１】
【発明の属する技術分野】
本発明は、照明器具に関するものであり、特には、アマルガムタイプの片口金型蛍光灯ランプを用いてなる照明器具の構造に関する。
【０００２】
【従来の技術】
照明器具のうちには消費電力の低減が可能な片口金型蛍光灯ランプ（以下、蛍光灯ランプという）を用いて構成されたものがあり、図１７で示すように、縦型の種の照明器具は、蛍光灯ランプ１と、これのランプ部１ａを取り囲んで配設された反射板２、つまり、一端面が略閉塞され、かつ、他端面が開放されたテーパ形状を有する反射板２とを備えている。すなわち、この反射板２の略閉塞された一端面には、蛍光灯ランプ１の口金部１ｂを挿通させるランプ挿入孔３が形成されており、このランプ挿入孔３を挿通して反射板２の裏面側へと突出した蛍光灯ランプ１の口金部１ｂはソケット４に差し込んで連結されている。
【０００３】
これらの蛍光灯ランプ１にあっては、ランプ特性の決定要因が異なる２種類のタイプが存在しており、その１つは最冷点の温度によりランプ特性が決定されるノーマルタイプ、他の１つは水銀蒸気供給源であるアマルガムの温度によりランプ特性が決定されるアマルガムタイプである。そして、アマルガムタイプの蛍光灯ランプ１は、ノーマルタイプのものに比して、より広い温度範囲で最適となる特性を保ち、特に、高温域での特性が良好となる特徴を有している。
【０００４】
ところで、蛍光灯ランプ１がアマルガムタイプである場合、図１７中に付記しているように、そのランプ特性決定部としてのアマルガム部５は口金部１ｂに設けられているのが一般的である。なお、近年においては、蛍光灯ランプ１のより一層の小型化が要望されているが、このような小型化を実現するに際しては、点灯中のランプ周囲温度が上昇し、かつ、水銀蒸気圧が高くなり過ぎて発光効率が悪くなることを防止する必要があるため、ノーマルタイプよりもアマルガムタイプの蛍光灯ランプ１の方が多用されつつあるのが実状である。
【０００５】
【発明が解決しようとする課題】
ところで、従来の照明器具にあっては、蛍光灯ランプ１の口金部１ｂとソケット４とが共に開放された状態にあり、外気にさらされたままとなっていることが多い。そのため、プレナムリターン等の空調方式が採用された室内に設置されて照明器具内に強制的な対流が生じる場合や室外に設置されて外気流が蛍光灯ランプ１に吹き付ける場合には、蛍光灯ランプ１の口金部１ｂに設けられたアマルガム部５が急激に冷却されて著しい温度低下をきたすことになり、ランプ特性が変化する結果として明るさが大幅に低下してしまうことが起こる。
【０００６】
本発明は、上述の事実に鑑みてなされたものであって、その目的とするところは、アマルガムタイプの蛍光灯ランプを備えているにも拘わらず、空気の流れによってアマルガム部が急激な温度低下をきたし、著しい照度低下が生じることを未然に防止できる構成とされた照明器具を提供することにある。
【０００７】
【課題を解決するための手段】
請求項１の発明に係る照明器具は、口金部にアマルガム部が設けられた蛍光灯ランプと、この蛍光灯ランプのランプ部を取り囲んで配設される反射板とを備えてなる照明器具であって、蛍光灯ランプのアマルガム部近傍を流れる空気の流量を低減させる流量低減手段が設けられており，反射板のランプ挿入孔から突出した蛍光灯ランプの口金部はソケットに連結されており、口金部及びソケットの周囲には流量低減手段となる空気流路の屈曲部が設けられており，屈曲部は，ソケット取付板の周縁部と，ソケットを取り囲んで配設されたソケットカバーの外端部との幅狭の隙間に形成されてなるものであることを特徴とする。
【０００８】
請求項２の発明に係る照明器具は請求項１に記載したものであって、口金部及びソケットカバーが空気流路を構成していることを特徴とする。
【０００９】
請求項３の発明に係る照明器具は請求項１記載のものであって、空気流路には、空気流入口及び空気流出口よりも断面積が大きくて大容量である減流速空間が設けられていることを特徴とする。
【００２４】
【発明の実施の形態】
（実施の形態１）
図１は実施の形態１に係る照明器具の全体構造を示す断面図であり、図２はその要部構造を示す斜視図である。なお、実施の形態１に係る照明器具は縦型であり、その基本的な構造は従来の形態と異ならないので、図１及び図２において図１７と互いに同一となる部品、部分には同一符号を付している。
【００２５】
実施の形態１に係る縦型照明器具は、図１及び図２で示すように、蛍光灯ランプ１と、これのランプ部１ａを取り囲んで配設された反射板２、つまり、一端面（図では上面）が略閉塞され、かつ、他端面（図では下面）が開放されたテーパ形状を有する反射板２とを備えている。なお、ここでの蛍光灯ランプ１はアマルガムタイプであり、その口金部１ｂにはアマルガム部５が設けられている。
【００２６】
そして、反射板２の一端面には、アマルガム部５が設けられた蛍光灯ランプ１の口金部１ｂを外方へと向かって突出させるランプ挿入孔３が形成されており、このランプ挿入孔３から反射板２の裏面側へと突出した蛍光灯ランプ１の口金部１ｂはソケット４に差し込んで連結されている。また、蛍光灯ランプ１の口金部１ｂ、つまり、アマルガム部５が設けられた口金部１ｂの内端面と、反射板２の一端面に形成されたランプ挿入孔３の周縁部との間には、これらの双方と略密着し、これらの間を略閉塞する口金カバー７が取り付けられている。
【００２７】
そこで、反射板２の内部からランプ挿入孔３を通過して蛍光灯ランプ１の口金部１ｂの周囲へと向かう空気の流れは口金カバー７でもって阻止されることになり、アマルガム部５近傍を流れる空気の流量は口金カバー７で低減させられる。なお、この口金カバー７の少なくとも内面については、光の反射効率を確保するため、反射板２の内面と同様の鏡面とされていることが好ましい。
【００２８】
すなわち、このような構成とされた照明器具であれば、口金カバー７が、蛍光灯ランプ１のアマルガム部５の近傍を流れる空気の流量を低減させる流量低減手段として機能する。そのため、実施の形態１に係る照明器具では、蛍光灯ランプ１のアマルガム部５近傍を流れる空気の流量を低減させる流量低減手段が設けられていることとなり、蛍光灯ランプ１の口金部１ｂに設けられたアマルガム部５が空気の流れによって急激に冷却されて著しい温度低下をきたすことがなくなる結果、蛍光灯ランプ１の明るさが低下することも起こらない。
（実施の形態２）
図３は実施の形態２に係る照明器具の全体構造を示す断面図であり、図４はその平面図である。なお、実施の形態２に係る照明器具は蛍光灯ランプが反射板の開放面と平行に配設された横型であり、この点では実施の形態１に係る縦型照明器具と構造が異なるが、このことに伴う基本的な差異がある訳ではないので、図３及び図４において図１及び図２と互いに同一となる部品、部分には同一符号を付し、ここでの詳しい説明は省略する。
【００２９】
また、実施の形態２を含む他の実施の形態、すなわち、以下に説明する他の実施の形態においても、横型または縦型のいかんに拘わらず、蛍光灯ランプ１がアマルガムタイプとされており、かつ、アマルガム部５が口金部１ｂに設けられていることは全て同じであるから、アマルガム部の図示については省略する。
【００３０】
実施の形態２に係る横型照明器具は、図３及び図４で示すように、蛍光灯ランプ１と、これのランプ部１ａを取り囲んで配設された反射板２、つまり、一端面（図では上面）が略閉塞され、かつ、他端面（図では下面）が開放されたテーパ形状を有する反射板２とを備えている。そして、反射板２の側面には、アマルガム部が設けられた蛍光灯ランプ１の口金部１ｂを外部へと突出させるランプ挿入孔３が形成されており、このランプ挿入孔３から突出した蛍光灯ランプ１の口金部１ｂは、ソケット取付板８に取り付けられたソケット４へと差し込んで連結されている。
【００３１】
また、この際、反射板２の側面には、蛍光灯ランプ１の口金部１ｂ及びソケット４の周囲を取り囲んで配設されるソケットカバー９、つまり、両端が開放された筒形状を有するソケットカバー９が取り付けられている。さらに、このとき、ソケット取付板８の周縁部８ａは、ソケットカバー９の外端部へと向かって傾斜させられており、傾斜させられたソケット取付板８の周縁部８ａは、幅狭の隙間Ｓ１を介したうえでソケットカバー９の外端部と対向させられている。
【００３２】
このような構造である場合、反射板２の内部からランプ挿入孔３を通過して蛍光灯ランプ１の口金部１ｂ、つまり、アマルガム部が設けられた口金部１ｂの周囲へと向かう空気Ａの流れは、ソケットカバー９内を流通したうえで隙間Ｓ１を流通しなければならない。そこで、この際には、蛍光灯ランプ１の口金部１ｂ及びソケット４の周囲を流れる空気Ａの空気流路がソケットカバー９によって構成されており、しかも、ソケット取付板８の周縁部８ａとソケットカバー９とによって空気流路の屈曲部が構成されているため、空気Ａは口金部１ｂの周囲へと流れ込みがたくなる。
【００３３】
すなわち、実施の形態２に係る構造では、ソケット取付板８の周縁部８ａ及びソケットカバー９によって空気流路の屈曲部が構成されており、この空気流路の屈曲部が流量低減手段として機能する。そして、蛍光灯ランプ１のアマルガム部近傍を流れる空気Ａの流量を低減させる流量低減手段が設けられているため、アマルガム部が空気Ａによって急激に冷却されることはなくなる。また、このような構造に限られず、蛍光灯ランプ１の口金部１ｂ及びソケット４の周囲をソケットカバー９で取り囲んでおくだけでも、ソケットカバー９が空気Ａの流れを規制する空気流路となり、この空気流路が流量低減手段として機能するため、空気Ａが口金部１ｂの周囲へと流れ込みがたくなる。
（実施の形態３）
図５は実施の形態３に係る横型照明器具の全体構造を示す断面図、図６はその平面図であり、図７は縦型照明器具の全体構造を示す断面図、図８はその要部構造を示す斜視図である。なお、これら照明器具の構造は実施の形態１，２と基本的に異ならないので、図５〜図８において図１〜図４と互いに同一となる部品、部分には同一符号を付し、ここでの詳しい説明は省略する。
【００３４】
実施の形態３に係る横型照明器具は、図５及び図６で示すように、蛍光灯ランプ１と、これのランプ部１ａを取り囲んで配設された反射板２とを備えており、この反射板２の側面に形成されたランプ挿入孔３から外部へと突出した蛍光灯ランプ１の口金部１ｂ、つまり、アマルガム部（図示省略）が設けられた口金部１ｂはソケット４と連結されている。そして、反射板２の側面には外端面が閉塞されたソケットカバー１０が取り付けられており、内径Ｘとされたソケットカバー１０は、蛍光灯ランプ１の口金部１ｂ及びソケット４の周囲を取り囲んだうえで配設されている。
【００３５】
すなわち、ここでのソケットカバー１０は口金部１ｂ及びソケット４の周囲に設けられた空気流路を構成しており、このソケットカバー１０によっては、空気流入口である内径Ｙのランプ挿入孔３と、空気流出口である反射板２及びソケットカバー９間の隙間Ｓ２とのいずれよりも空気Ａの通過する断面積が大きくて大容量である減流速空間が構成されている。そして、ソケットカバー１０によって空気流路の減流速空間が構成されているため、反射板２の内部からランプ挿入孔３を通過して蛍光灯ランプ１の口金部１ｂの周囲へと流れ込んだ空気Ａは、一旦大きく流れを拡大した後、反射板２及びソケットカバー１０間の隙間Ｓ２を通過するのに伴って流れが大きく縮小されてしまう。
【００３６】
そこで、ソケットカバー１０からなる空気流路の減流速空間へは空気Ａが流れ込みがたくなり、このソケットカバー１０がアマルガム部の設けられた蛍光灯ランプ１の口金部１ｂ近傍を流れる空気Ａの流量を低減させる流量低減手段として機能する。すなわち、蛍光灯ランプ１のアマルガム部近傍を流れる空気Ａの流量を低減させる流量低減手段が設けられているため、空気Ａの流れによってアマルガム部が急激に冷却されることは起こらない。なお、外端面が閉塞されたソケットカバー１０で蛍光灯ランプ１の口金部１ｂ及びソケット４の周囲を取り囲んだだけでも、空気Ａが流れ込みがたくなるため、アマルガム部が急激に冷却されることはなくなる。
【００３７】
一方、実施の形態３に係る縦型照明器具では、図７及び図８で示すような構造が採用される。すなわち、この縦型照明器具は、蛍光灯ランプ１と、これのランプ部１ａを取り囲んで配設された反射板２とを備えており、この反射板２の一端面に形成されたランプ挿入孔３から突出した蛍光灯ランプ１の口金部１ｂはソケット４と連結されている。そして、反射板２の一端面には外端面が閉塞されたソケットカバー１０が取り付けられ、内径Ｘとされたソケットカバー１０は、蛍光灯ランプ１の口金部１ｂ及びソケット４の周囲を取り囲んでいる。
【００３８】
ここでのソケットカバー１０も口金部１ｂ及びソケット４の周囲における空気流路を構成しており、このソケットカバー１０によっても、空気流入口である内径Ｙのランプ挿入孔３と、空気流出口である反射板２及びソケットカバー９間の隙間Ｓ２とのいずれよりも空気Ａの通過する断面積が大きくて大容量である減流速空間が構成されている。そこで、ソケットカバー１０によって構成された空気流路の減流速空間へは空気Ａが流れ込みがたくなり、このソケットカバー１０がアマルガム部の設けられた蛍光灯ランプ１の口金部１ｂ近傍を流れる空気Ａの流量を低減させる流量低減手段として機能する結果、アマルガム部が空気Ａの流れで急激に冷却されることは起こらなくなる。
（実施の形態４）
図９は実施の形態４に係る横型照明器具の全体構造を示す断面図であり、図１０は縦型照明器具の全体構造を示す断面図である。なお、横型または縦型のいかんに拘わらず、実施の形態４に係る照明器具の構造は実施の形態１〜３と基本的に異ならない。従って、図９及び図１０において、図１〜図８と互いに同一となる部品、部分については同一符号を付し、ここでの詳しい説明は省略する。
【００３９】
実施の形態４に係る縦型照明器具及び横型照明器具は、図９及び図１０で示すように、蛍光灯ランプ１と、これのランプ部１ａを取り囲んで配設された反射板２とを備えており、この反射板２に形成されたランプ挿入孔３を介しては、アマルガム部（図示省略）の設けられた蛍光灯ランプ１の口金部１ｂとソケット４とが連結されている。なお、この際におけるランプ挿入孔３の内径Ｙは口金部１ｂの外径Ｚよりも小さく設定されており、これらの間には幅狭の隙間Ｓ３が形成されている。
【００４０】
そして、蛍光灯ランプ１の口金部１ｂの外端面とランプ挿入孔３の周縁部との間にも幅狭の隙間Ｓ４、例えば、５ｍｍ程度の間隔とされた隙間Ｓ４が設けられている。そのため、反射板２の内部からソケット４の周囲へと向かう空気Ａの流れは、隙間Ｓ４を通過したうえで隙間Ｓ３を通過しなければならず、これらの隙間Ｓ３，Ｓ４で空気Ａの流れが縮小されるため、空気Ａはソケット４の周囲へと流れ込みがたいことになる。
【００４１】
すなわち、これらの隙間Ｓ３，Ｓ４は空気縮流部として機能することになり、このような空気縮流部が存在するために蛍光灯ランプ１の口金部１ｂ近傍における空気Ａの流動、つまり、対流は発生しがたくなる。従って、空気縮流部となる隙間Ｓ３，Ｓ４は空気Ａの流量を低減させる流量低減手段としても機能していることになり、蛍光灯ランプ１のアマルガム部近傍を流れる空気Ａの流量を低減させる流量低減手段が設けられている結果、アマルガム部が急激に冷却されて著しい温度低下をきたすことは起こらない。
（実施の形態５）
図１１は実施の形態５に係る縦型照明器具の全体構造を示す断面図であり、図１２は横型照明器具の全体構造を示す断面図である。なお、横型または縦型のいかんに拘わらず、実施の形態４に係る照明器具の構造は実施の形態１〜４と基本的に異ならない。従って、図１１及び図１２において、図１〜図１０と同一となる部品、部分については同一符号を付し、ここでの詳しい説明は省略する。
【００４２】
実施の形態５に係る縦型照明器具及び横型照明器具は、図１１及び図１２で示すように、蛍光灯ランプ１と、これのランプ部１ａを取り囲んで配設された反射板２とを備えており、反射板２に形成されたランプ挿入孔３から外部へと突出した蛍光灯ランプ１の口金部１ｂ、つまり、アマルガム部（図示省略）が設けられた口金部１ｂはソケット４に連結されている。そして、この際におけるランプ挿入孔３の周縁部は、蛍光灯ランプ１のランプ部１ａへと向かって屈曲させられている。
【００４３】
そこで、反射板２の内部から口金部１ａ及びソケット４の周囲へと向かう空気Ａの流れはランプ挿入孔３の周縁部、つまり、内向きへと屈曲させられたランプ挿入孔３の周縁部に衝突して反射板２の内部へと戻されることになり、空気Ａは口金部１ａ及びソケット４の周囲へと流れ込みがたくなる。すなわち、この実施の形態５に係る縦型照明器具及び横型照明器具では、屈曲させられたランプ挿入孔３の周縁部が空気縮流部として機能する。
【００４４】
そこで、蛍光灯ランプ１の口金部１ｂと反射板２に形成されたランプ挿入孔３の周縁部との間には、流量低減手段となる空気縮流部が設けられていることになり、空気縮流部である流量低減手段によって蛍光灯ランプ１のアマルガム部近傍を流れる空気Ａの流量は低減させられてしまう。従って、蛍光灯ランプ１の口金部１ｂに設けられたアマルガム部が、空気Ａの流れによって急激に冷却されてしまうことはなくなる。
（実施の形態６）
図１３は実施の形態６に係る横型照明器具の全体構造を示す断面図、図１４はその第１の変形例に係る横型照明器具の全体構造を示す断面図であり、図１５はその第２の変形例に係る横型照明器具の全体構造を示す断面図である。なお、実施の形態６に係る横型照明器具の構造は実施の形態２〜５と基本的に異ならないので、図１３〜図１５において、図２〜図１２と同一となる部品、部分については同一符号を付し、ここでの詳しい説明は省略する。
【００４５】
実施の形態６に係る横型照明器具は、図１３で示しているように、蛍光灯ランプ１と、これのランプ部１ａを取り囲んで配設された反射板２とを備えており、反射板２の側面には、アマルガム部（図示省略）が設けられた蛍光灯ランプ１の口金部１ｂを外部へと突出させるランプ挿入孔３が形成されている。そして、このランプ挿入孔３から外部へと突出した蛍光灯ランプ１の口金部１ｂは、ソケット取付板８に取り付けられたソケット４へと差し込んで連結されている。
【００４６】
また、反射板２の外部には補助反射板１１が取り付けられており、この補助反射板１１はソケット取付板８と連結されている。さらに、この際、反射板２の略閉塞された一端面（図では上面）には空気Ａの流通する開口部１２がランプ挿入孔３から離間した位置を選択して形成されており、補助反射板１１の開口部１２と対向する位置にも開口部１３が形成されている。すなわち、実施の形態６に係る横型照明器具の反射板２及び補助反射板１１には、互いに対向して外部と連通する開口部１２，１３が形成されており、これらの開口部１２，１３が主たる空気流路、つまり、蛍光灯ランプ１の口金部１ｂにとっては流量低減手段として作用することになる空気流路を構成している。
【００４７】
このような構造である場合、反射板２の内部から外部へと流れる空気Ａは、反射板２の側面に形成され、蛍光灯ランプ１の口金部１ｂが挿通している小面積のランプ挿入孔３ではなく、流量低減手段となる空気流路を構成している大面積の開口部１２，１３を通過して流れることとなる。そこで、蛍光灯ランプ１のアマルガム部近傍を流れる空気Ａの流量を低減させる流量低減手段が設けられていることとなり、ランプ挿入孔３から突出している蛍光灯ランプ１の口金部１ｂ、つまり、アマルガム部の近傍を空気Ａが流れることはなくなる。
【００４８】
その結果、アマルガム部が空気Ａの流れによって急激に冷却されてしまうことも起こらないこととなる。なお、本実施の形態に係る照明器具においては、開口部１３が形成された補助反射板１１を取り付けるとしているが、このような補助反射板１１がなくても差し支えないことは勿論である。
【００４９】
さらに、実施の形態６に係る横型照明器具にあっては、図１４で示す第１の変形例のように、反射板２の開口部１２と補助反射板１１の開口部１３とを互いに位置ずれさせておくことが好ましい。このような構造であれば、空気流路を確保しながらも、反射板２の開口部１２を通過した光を補助反射板１１によって反射できるからである。
【００５０】
さらにまた、図１５で示す第２の変形例のような構造、つまり、蛍光灯ランプ１の口金部１ｂ及びソケット４の周囲を反射板２及びソケット取付板８によって密閉した構造を採用することも可能である。すなわち、このような構造を採用していれば、反射板２の内部からランプ挿入孔３を通って蛍光灯ランプ１の口金部１ｂの周囲へと空気Ａが流れ込むことを有効に阻止し得るからである。
（実施の形態７）
図１６は、実施の形態７に係る横型照明器具の全体構造を示す断面図である。なお、実施の形態７に係る横型照明器具の基本的な構造は実施の形態２〜６とならないので、図１６において、図２〜図１５と同一となる部品、部分には同一符号を付し、ここでの詳しい説明は省略する。
【００５１】
実施の形態７に係る横型照明器具も、図１６で示しているように、蛍光灯ランプ１と、これのランプ部１ａを取り囲んで配設された反射板２とを備えている。そして、反射板２の側面にはランプ挿入孔３が形成されており、ランプ挿入孔３から外部へと突出した蛍光灯ランプ１の口金部１ｂ、つまり、アマルガム部（図示省略）が設けられた口金部１ｂはソケット４に連結されている。また、反射板２の外部には補助反射板１１が取り付けられており、これらの反射板２及び補助反射板１１には互いに対向しあう開口部１２，１３が形成されている。
【００５２】
さらに、このとき、反射板２に形成された開口部１２それぞれの端部は、蛍光灯ランプ１のランプ部１ａに向かって傾斜させられている。このような構造であれば、空気Ａの流れが開口部１２の端部によって導かれることになり、反射板２及び補助反射板１１に形成された開口部１２，１３が反射板２の内部から外部へと流れる空気Ａの主たる空気流路であり、この空気流路が蛍光灯ランプ１の口金部１ｂにとっての流量低減手段として作用する。
【００５３】
すなわち、蛍光灯ランプ１のアマルガム部近傍を流れる空気Ａの流量を低減させる流量低減手段が設けられている結果、ランプ挿入孔３から突出した蛍光灯ランプ１の口金部１ｂ、つまり、アマルガム部の近傍を空気Ａが流れることは起こらず、アマルガム部が空気Ａの流れによって急激に冷却されることもなくなる。さらにまた、開口部１２それぞれの端部が蛍光灯ランプ１のランプ部１ａへと傾斜させられている場合には、これらの端部によって蛍光灯ランプ１のランプ部１ａから照射された光Ｌが反射されるため、照明器具における配光状態が改善されるという利点も確保される。
【００５４】
【発明の効果】
請求項１〜請求項３に記載の照明器具にあっては、蛍光灯ランプの口金部に設けられたアマルガム部の近傍を流れる空気の流量を低減させる流量低減手段が設けられているので、照明器具内に強制的な対流が生じる場合や室外に設置されて外気流が蛍光灯ランプへと吹き付ける場合であっても、空気の流れによってアマルガム部が急激な温度低下をきたす結果として著しい照度低下が生じることを未然に防止できるという効果が得られる。
【００５５】
また、請求項１〜請求項３に記載の照明器具であれば、アマルガム部の設けられた蛍光灯ランプの口金部が外気にさらされないため、外気温度の低下に伴うランプ特性の変化が発生しがたいという利点も確保される。
【図面の簡単な説明】
【図１】実施の形態１に係る縦型照明器具の全体構造を示す断面図である。
【図２】実施の形態１に係る縦型照明器具の要部構造を示す斜視図である。
【図３】実施の形態２に係る横型照明器具の全体構造を示す断面図である。
【図４】実施の形態２に係る横型照明器具の全体構造を示す平面図である。
【図５】実施の形態３に係る横型照明器具の全体構造を示す断面図である。
【図６】実施の形態３に係る横型照明器具の全体構造を示す平面図である。
【図７】実施の形態３に係る縦型照明器具の全体構造を示す断面図である。
【図８】実施の形態３に係る縦型照明器具の要部構造を示す斜視図である。
【図９】実施の形態４に係る横型照明器具の全体構造を示す断面図である。
【図１０】実施の形態４に係る縦型照明器具の全体構造を示す断面図である。
【図１１】実施の形態５に係る縦型照明器具の全体構造を示す断面図である。
【図１２】実施の形態５に係る横型照明器具の全体構造を示す断面図である。
【図１３】実施の形態６に係る横型照明器具の全体構造を示す断面図である。
【図１４】実施の形態６に係る横型照明器具の第１の変形例を示す断面図である。
【図１５】実施の形態６に係る横型照明器具の第２の変形例を示す断面図である。
【図１６】実施の形態７に係る横型照明器具の全体構造を示す断面図である。
【図１７】従来の形態に係る照明器具の全体構造を示す断面図である。
【符号の説明】
１    蛍光灯ランプ
１ａ  ランプ部
１ｂ  口金部
２    反射板
３    ランプ挿入孔
４    ソケット
５    アマルガム部
７    口金カバー
８    ソケット取付板
９    ソケットカバー
１０    ソケットカバー
１１    補助反射板
１２    開口部（反射板）
１３    開口部（補助反射板）
【図１】
0003948319.tif 000002
【図２】
0003948319.tif 000003
【図３】
0003948319.tif 000004
【図４】
0003948319.tif 000005
【図５】
0003948319.tif 000006
【図６】
0003948319.tif 000007
【図７】
0003948319.tif 000008
【図８】
0003948319.tif 000009
【図９】
0003948319.tif 000010
【図１０】
0003948319.tif 000011
【図１１】
0003948319.tif 000012
【図１２】
0003948319.tif 000013
【図１３】
0003948319.tif 000014
【図１４】
0003948319.tif 000015
【図１５】
0003948319.tif 000016
【図１６】
0003948319.tif 000017
【図１７】
0003948319.tif 000018